(57)【要約】【課題】タンクの溶着精度の向上と溶着強度の向上を実現するとともに、カバーからタンクへの熱伝達をおさえ、タンク着脱時の使い勝手を良くすることを目的とする。【解決手段】底部材３と本体部材２の少なくとも一方に、溶着時に他方を支持する溶着支持部１０を設けたものである。また、タンク１の底部材３や本体部材２がカバー７の外周を覆うようにしたものである。【選択図】　図２
2004049782.tif 000002
【特許請求の範囲】
【請求項１】
ヒータによって加熱されるベースと、前記ベースの上面側を覆うカバーと、前記カバーの上方に取付けた把手と、前記カバーの上方に取付けられたタンクとを具備し、前記タンクは上部の本体部材と、下部の底部材を有し、前記本体部材と前記底部材の各々の外周部を相対向させて溶着部を形成するとともに、前記底部材と前記本体部材の少なくとも一方に、溶着時に他方を支持する溶着支持部を設けたアイロン。
【請求項２】
溶着支持部はタンク装着時に把手に隠れる位置に設けた請求項１記載のアイロン。
【請求項３】
溶着支持部はタンクの長手方向の中央部に位置するように構成した請求項１または２記載のアイロン。
【請求項４】
タンク内に水の動きを抑制する波止め板を設け、溶着支持部は波止め板により構成した請求項１〜３のいずれか１項に記載のアイロン。
【請求項５】
タンクの底部材がカバーの外周を覆うように構成した請求項１〜４のいずれか１項に記載のアイロン。
【請求項６】
タンクの本体部材と底部材のいずれもがカバーの外周を覆うとともに、前記本体部材と前記底部材との間に空気層を設けた請求項１〜４のいずれか１項に記載のアイロン。
【発明の詳細な説明】
【０００１】
【発明の属する技術分野】
本発明は、衣類等のしわ伸ばしを行うアイロン装置に関するものである。
【０００２】
【従来の技術】
従来、この種のスチームアイロンは、図９〜図１１のような構成になっていた。すなわちアイロン本体に着脱自在に設けられたタンク１は、本体部材２と底部材３を接合部４で溶着接合され、カバー７の上方に取付けられる構成となっていた。
【０００３】
【発明が解決しようとする課題】
しかし、このような従来の構成では、本体部材２と底部材３を接合部４で接合してタンク１として一体化する際に、溶着が均等にできず、溶着強度が弱いという問題があった。また、タンク１がカバー７の上方に取付けられており、しかもタンク１の構造が、底部材３がカバー７の外周を覆う構造になっていないため、ヒータ５からの熱がカバー７を介してタンク１の本体部材２に伝わりやすく、タンク１のカバー７近傍が熱くなり着脱時に使い勝手が悪いという問題があった。
【０００４】
本発明は上記のような従来の課題を解決するもので、タンクの溶着精度の向上と溶着強度の向上を第１の目的にしている。第２の目的は、カバーからタンクへの熱伝達をおさえ、タンク着脱時の使い勝手を良くすることである。
【０００５】
【課題を解決するための手段】
本発明は上記第１の目的を達成するために、底部材と本体部材の少なくとも一方に、溶着時に他方を支持する溶着支持部を設けたものである。また、上記第２の目的を達成するために、タンクの底部材がカバーの外周を覆うようにしたものである。
【０００６】
【発明の実施の形態】
本発明の請求項１に記載した発明は、ヒータによって加熱されるベースと、前記ベースの上面側を覆うカバーと、前記カバーの上方に取付けた把手と、前記カバーの上方に取付けられたタンクとを具備し、前記タンクは上部の本体部材と、下部の底部材を有し、前記本体部材と前記底部材の各々の外周部を相対向させて溶着部を形成するとともに、前記底部材と前記本体部材の少なくとも一方に、溶着時に他方を支持する溶着支持部を設けたものであり、溶着作業時に底部材と本体部材を安定して支持できるので、溶着部の溶着が均等になり、溶着強度も強くすることができ、溶着精度の向上と溶着強度の向上を実現させることができる。
【０００７】
本発明の請求項２に記載した発明は、溶着支持部はタンク装着時に把手に隠れる位置に設けたものであり、溶着精度の向上と溶着強度の向上を実現させ、かつ、溶着支持部により外観品質が損なわれることを防止することができる。
【０００８】
本発明の請求項３に記載した発明は、溶着支持部はタンクの長手方向の中央部に位置するように構成したものであり、溶着作業時に底部材と本体部材の中央部を支持できるので、溶着時の安定性がさらに向上し、溶着時の作業性も向上させることができる。
【０００９】
本発明の請求項４に記載した発明は、タンク内に水の動きを抑制する波止め板を設け、溶着支持部を波止め板により構成したものであり、波止め板を溶着支持部として共用しているので、外観品質を大きく損なうことなく、タンクの構造を簡単にすることができる。
【００１０】
本発明の請求項５に記載した発明は、タンクの底部材がカバーの外周を覆うように構成したものであり、タンクの底部材がカバーの外周を覆っているので、ヒータによって加熱されるベースの熱によりベースの上面側を覆うカバーが熱くなった時でも、タンクをアイロン本体から安全に着脱することができ、安全性を向上させることができる。
【００１１】
本発明の請求項６に記載した発明は、タンクの本体部材と底部材のいずれもがカバーの外周を覆うとともに、本体部材と底部材との間に空気層を設けたものであり、空気層の断熱効果を利用することにより、タンクの着脱をより安全なものとすることができる。
【００１２】
【実施例】
以下、本発明の実施例について、図面を参照しながら説明する。なお、従来例と同様の構成である部品については、同一番号を付与し説明を省略する。
【００１３】
（実施例１）
図１〜図２に示すように、本実施例においては、ヒータ５によって加熱されるベース６と、ベース６の上面側を覆うカバー７と、カバー７の上方に取付けた把手８と、カバー７の上方に取付けられたタンク１とを具備し、タンク１は上部の本体部材２と、下部の底部材３を有し、本体部材２と底部材３の各々の外周部を相対向させて溶着部９を形成するとともに、底部材３に溶着支持部１０を設け、溶着時に溶着支持部１０で本体部材２を支持する構成となっている。
【００１４】
上記構成によれば、溶着時に溶着支持部１０が本体部材２を支え、本体部材２が傾いたりすることがないので、溶着部９の溶着が均等になり、溶着強度も強くすることができ、溶着精度の向上と溶着強度の向上を実現させることができる。
【００１５】
なお、本実施例では、溶着支持部１０を底部材３に設けたが、本体部材２側に設けて底部材３を支える構成、あるいは底部材３と本体部材２の両方に設けた構成とした場合も同様の効果を発揮できる。
【００１６】
（実施例２）
図３に示すように、本実施例においては、溶着支持部１０はタンク装着時に把手８に隠れる位置に設けた構成となっている。他の構成は上記実施例１と同じである。上記構成によれば、溶着支持部１０がアイロン掛け時に作業者が握る部分の下部に位置し、タンク１のセット時には把手８に隠れるので、溶着支持部１０が外部より見えて外観品質が損なわれることを防止することができる。
【００１７】
（実施例３）
図４に示すように、本実施例においては、溶着支持部１０はタンク１の長手方向の中央部に設けた構成となっている。他の構成は上記実施例１と同じである。上記構成によれば、溶着部９の溶着を均等にし、溶着強度も強くすることで、溶着精度の向上と溶着強度の向上を実現させることができる。
【００１８】
また、図５に示すように、タンク１の形状をＵ字型にする場合は、溶着支持部１０をタンク内の両側分割し、それぞれの中央部に構成することにより、同様の効果が得られる。
【００１９】
（実施例４）
図１および図６に示すように、本実施例においては、タンク１内に、アイロン掛け時に空気孔１２からの水の飛び出しやタンク内の水の動きを抑制する波止め板１１を設け、溶着支持部１０を波止め板１１により構成している。上記構成によれば、波止め板１１を溶着支持部１０として共用しているので、簡単な構造で外観品質を損なうことがなくなるとともに、溶着部９の溶着を均等にし、溶着強度も強くすることで、溶着精度の向上と溶着強度の向上を実現させることができる。
【００２０】
（実施例５）
図１および図７に示すように、本実施例においては、タンク１の底部材３がカバー７の外周を覆うように構成している。上記構成によれば、ヒータ５によって加熱されるベース６の熱によりベース６の上面側を覆うカバー７が熱くなった時でも、タンク１の底部材３がカバー７の外周を覆っているから、タンク１をアイロン本体から安全に着脱することができ、安全性を向上させることができる。
【００２１】
（実施例６）
図８に示すように、本実施例においては、本体部材２も底部材３と同様にカバー７の外周を覆うように構成している。そして、本体部材２と底部材３との間に設けた空気層を断熱層として利用することにより、タンク１の着脱をより安全なものとすることができる。
【００２２】
【発明の効果】
以上のように、本発明の請求項１〜４に記載した発明によれば、ヒータによって加熱されるベースと、前記ベースの上面側を覆うカバーと、前記カバーの上方に取付けた把手と、前記カバーの上方に取付けられたタンクとを具備し、前記タンクは上部の本体部材と、下部の底部材を有し、前記本体部材と前記底部材の各々の外周部を相対向させて溶着部を形成するとともに、前記底部材と前記本体部材の少なくとも一方に、溶着時に他方を支持する溶着支持部を設けたものであり、その結果、溶着部の溶着を均等にし、溶着強度も強くすることで、溶着精度の向上と溶着強度の向上を実現させることができる。
【００２３】
また、本発明の請求項５および６に記載した発明によれば、タンクの底部材や本体部材がカバーの外周を覆うように構成したものであり、その結果、タンクのカバー近傍が熱くなりにくくすることで、カバーからタンクへの熱伝達を抑え、タンク着脱時の使い勝手を良くすることができる。
【図面の簡単な説明】
【図１】本発明の第一の実施例のアイロンの側面図
【図２】同アイロンのタンクの断面図
【図３】本発明の第二の実施例のアイロンの上面図
【図４】本発明の第三の実施例のアイロンの底部材の上面図
【図５】同アイロンの底部材の上面図
【図６】本発明の第四の実施例のアイロンのタンクの断面図
【図７】本発明の第五の実施例のアイロンの先端の部分断面図
【図８】同アイロンの先端の部分断面図
【図９】従来のアイロンの側面図
【図１０】同アイロンのタンクの断面図
【図１１】同アイロンの先端の部分断面図
【符号の説明】
１　タンク
２　本体部材
３　底部材
５　ヒータ
６　ベース
７　カバー
８　把手
９　溶着部
１０　溶着支持部
１１　波止め板
【図１】
2004049782.tif 000003
【図２】
2004049782.tif 000004
【図３】
2004049782.tif 000005
【図４】
2004049782.tif 000006
【図５】
2004049782.tif 000007
【図６】
2004049782.tif 000008
【図７】
2004049782.tif 000009
【図８】
2004049782.tif 000010
【図９】
2004049782.tif 000011
【図１０】
2004049782.tif 000012
【図１１】
2004049782.tif 000013